(57)【要約】【課題】２つの筐体のうちいずれか一方にカメラを備え、コンパクト化することが可能な携帯情報端末装置において、上記筐体を大きくすることなく、大型の表示部を設けることができ、さらに簡単な構造でカメラ部より表示部に映し出される映像を確認かつ撮影することができるようにする。【解決手段】表示部３を有する第一の筐体２と、操作部７及びカメラ部１０を有する第二の筐体６とを開閉可能に連結し、上記第一の筐体２と上記第二の筐体６を開いた時、上記第一の筐体２を上記第二の筐体６に対して傾斜して配置するとともに、上記第二の筐体６に上記表示部３の表示面と略平行な傾斜面６ｄを設け、上記傾斜面６ｄに上記カメラ部１０の窓９を配置して携帯情報端末装置１を構成する。【選択図】図２
2004032351.tif 000002
【特許請求の範囲】
【請求項１】
少なくとも表示部を有する第一の筐体と、少なくとも操作部及びカメラ部を有する第二の筐体とを開閉可能に連結した携帯情報端末装置において、上記第一の筐体と上記第二の筐体を開いた時、上記第一の筐体は上記第二の筐体に対して傾斜させて配置するとともに、上記第二の筐体には上記表示部の表示面と略平行な面を設け、上記表示部の表示面と略平行な面に上記カメラ部の窓を配置したことを特徴とする携帯情報端末装置。
【請求項２】
上記表示部は、上記第一の筐体と上記第二の筐体が開いた時、操作部と同じ側の第一の筐体表面に有するとともに、上記表示部の表示面と略平行な面は、上記第二の筐体の操作部を有する面と反対側の面及び上記第一の筐体近傍の端面とのコーナー部を切り欠いて形成される傾斜面からなることを特徴とする請求項１に記載の携帯情報端末装置。
【請求項３】
上記表示部は、上記第一の筐体と上記第二の筐体が開いた時、操作部と同じ側の第一の筐体表面に有するとともに、上記表示部の表示面と略平行な面は、上記第二の筐体の操作部を有する面及び上記第一の筐体と反対側の端面とのコーナー部を切り欠いて形成される傾斜面からなることを特徴とする請求項１に記載の携帯情報端末装置。
【発明の詳細な説明】
【０００１】
【発明の属する技術分野】
本発明は、携帯電話機やＰＤＡ（Ｐｅｒｓｏｎａｌ　Ｄｉｇｉｔａｌ　Ａｓｓｉｓｔａｎｔｓ）等のカメラを具備する携帯情報端末装置に関するものである。
【０００２】
【従来の技術】
近年、携帯電話機やＰＤＡ（Ｐｅｒｓｏｎａｌ　Ｄｉｇｉｔａｌ　Ａｓｓｉｓｔａｎｔｓ）等の携帯情報端末装置は、携帯性を高めるために折り畳み機構を持ったものが普及しつつある。さらに情報端末装置としての本来の機能に加え、付加的な機能を追加したものが種々提案されており、その一つにカメラ機能を備えたものがある。
【０００３】
図４にカメラを具備した従来の携帯情報端末装置の一例である携帯電話機を示すように、この携帯情報端末装置３１は、第一の筐体３２と第二の筐体３６とをヒンジ部３５を介して互いの前面３２ａ，３６ａの角度αを可変し得るように回転可能に構成したもので、第一の筐体３２の前面３２ａに表示部３３と受話部３４を備えるとともに、第二の筐体３６の前面３６ａに操作部３７と送話部３８を備え、互いの前面３２ａ，３６ａを当接させるように第一の筐体３２と第二の筐体３６を折り畳むことによりコンパクト化し、携帯性を高めることができ、また、第一の筐体３２と第二の筐体３６とを開いた時には第一の筐体３２に備える受話部３４を使用者の耳元に近づけ、第二の筐体３６に備える送話部３８を使用者の口元に近づけることにより通話を行うことができるようになっていた。
【０００４】
また、第二の筐体３６内にはカメラ部４０を備えるとともに、被写体５０を取り込むカメラ部４０の窓３９を第二の筐体３６の前面３６ａと反対側の後面３６ｂに上記前面３６ａと平行に配置してあり、第一の筐体３２と第二の筐体３６とを開いた状態でカメラモードに切り替えると、窓３９からカメラ部４０に取り込まれる被写体５０を表示部３３に映し出すことができるとともに、操作部３７のシャッターボタンを押下することにより撮影を行うことができるようになっていた。
【０００５】
なお、４１は第二の筐体３６に内蔵された電池、４２は第二の筐体３６に備えるアンテナ、４３は制御部、記憶部、無線部等を備えた回路基板である。
【０００６】
【発明が解決しようとする課題】
ところで、図４に示すように、第一の筐体３２と第二の筐体３６とからなる折り畳み機構を備えた携帯情報端末装置３１は、通話時における使用者の耳と口の位置関係を踏まえ、第一の筐体３２と第二の筐体３６とが開いた時には第一の筐体３２が第二の筐体３６に対して傾斜して配置されるようになっている。
【０００７】
その為、図４の携帯情報端末装置３１に備えるカメラ部４０によって撮影を行うためにカメラ部４０の窓３９を被写体５０に向けると、第一の筐体３２の表示部３３がカメラ部４０の窓３９に対して傾斜して配置され、表示部３３の表示面３３ａが使用者の目線に対して斜めに配置されることになるため、表示部３３に表示されている被写体５０が見づらく、また、被写体５０を正確にとらえて撮影することが難しいといった課題があった。
【０００８】
そこで、図５に示すように、カメラ部４０を第一の筐体３２内に配置するとともに、カメラ部４０の窓３９を第一の筐体３２の前面３２ａと反対側の後面３２ｂに上記前面３２ａと平行となるように配置したものも提案されている。
【０００９】
このように表示部３３を有する第一の筐体３２にカメラ部４０を設けるとともに、カメラ部４０の窓３９を、表示部３３を有する前面３２ａと平行に配置された後面３２ｂに設けることで窓３９を被写体５０に向ければ表示部３３の表示面３３ａを使用者の目線に対して垂直に配置することができるため、表示部３３に表示されている被写体５０を容易に確認することができるとともに、被写体５０を正確にとらえて撮影にすることができるといった利点があるものの、近年、小さな携帯情報端末装置３１が望まれる一方で、マルチメディア化によって表示部３３により多くの情報を表示させるようにすることが要求されており、表示部３３を有する第一の筐体３２にカメラ部４０を配置すると、第一の筐体３２に大型の表示部３３を配置することができず、上述したような要求を満足することが難しいといった課題があった。
【００１０】
また、カメラ部をヒンジ部内に配置したものや筐体に対して回転可能に設けられた回転体内にカメラ部を内蔵させたものも提案されている（特開２００２−９４６２９公報や特開２００２−１２５００８公報参照）。
【００１１】
しかしながら、携帯情報端末装置のヒンジ部はその構造が複雑であるとともに、ヒンジ部内には配線が通っているためにカメラ部を配置することは極めて難しく、また、カメラ部をヒンジ部内に配置することができたとしてもヒンジ部が大型化するといった課題があるとともに、筐体の大きさとのバランスが崩れ、デザイン性（美観）が損なわれるといった恐れもあった。
【００１２】
一方、筐体とは別に設けられた回転体内にカメラ部を内蔵させたものでは、ヒンジ部とは別に回転体の回転機構が必要となり、構造が複雑化するとともに、部品点数も多くなり、組み立て性の点で問題があった。
【００１３】
なお、このような課題は携帯電話機だけでなく、折り畳み機構を備えたＰＤＡ（Ｐｅｒｓｏｎａｌ　Ｄｉｇｉｔａｌ　Ａｓｓｉｓｔａｎｔｓ）等の携帯情報端末装置にも同様にあった。
【００１４】
【課題を解決するための手段】
そこで、本発明は上記課題に鑑み、少なくとも表示部を有する第一の筐体と、少なくとも操作部及びカメラ部を有する第二の筐体とを開閉可能に連結した携帯情報端末装置において、上記第一の筐体と上記第二の筐体を開いた時、上記第一の筐体を上記第二の筐体に対して傾斜して配置するとともに、上記第二の筐体に上記表示部の表示面と略平行な面を設け、上記表示部の表示面と略平行な面に上記カメラ部の窓を配置したことを特徴とする。
【００１５】
なお、上記表示部は、上記第一の筐体と上記第二の筐体が開いた時、操作部と同じ側の第一の筐体表面に設けるとともに、上記表示部の表示面と略平行な面は、上記第二の筐体の操作部を有する面と反対側の面及び上記第一の筐体近傍の端面とのコーナー部を切り欠いて形成される傾斜面、あるいは上記第二の筐体の操作部を有する面及び上記第一の筐体と反対側の端面とのコーナー部を切り欠いて形成される傾斜面とすることが好ましい。
【００１６】
【発明の実施の形態】
以下、本発明の実施形態について説明する。
【００１７】
図１は本発明の携帯情報端末装置の一例である携帯電話機を示す図で、（ａ）は正面図、（ｂ）は裏面図である。図２は図１（ａ）のＸ−Ｘ線断面図である。
【００１８】
この携帯情報端末装置１は、第一の筐体２と第二の筐体６とをヒンジ部５を介して互いの前面２ａ，６ａの角度βを可変し得るように回転可能に構成したもので、第一の筐体２の前面２ａに表示部３と受話部４を備えるとともに、第二の筐体６の前面６ａに操作部７と送話部８を備え、互いの前面６ａ，７ａを当接させるように折り畳むことにより、長さを短くして携帯性を高めることができ、また、第一の筐体２と第二の筐体６とを開いた時には、上記第一の筐体２を第二の筐体６に対して９０°＜β＜１８０°、好ましくは１５０°＜β＜１８０°の範囲で傾斜するように配置するようになっており、第一の筐体２に備える受話部４を使用者の耳元に近づけ、第二の筐体６に備える送話部８を使用者の口元に近づけることにより通話を行うことができるようになっている。この時、第一の筐体２は第二の筐体６に対して上述した範囲で傾斜させてあることから、第一の筐体２に備える受話部４を使用者の耳元に近づけると、第二の筐体６に備える送話部８を使用者の口元に近づけることができるため、送話部８からの集音性を高めることができ、雑音の少ない音声を送ることができる。
【００１９】
なお、１１は第二の筐体６に内蔵する電池、１２は第二の筐体６に備えるアンテナ、１３は制御部、記憶部、無線部等を備えた回路基板である。
【００２０】
また、第二の筐体６内にはカメラ部１０を備えるとともに、第二の筐体６の後面６ｂ（前面６ａと反対側の面）及び第一の筐体２近傍（ヒンジ部５近傍）の端面６ｃとのコーナー部には、上記第一の筐体２と第二の筐体６を開いた時に上記表示部３の表示面３ａと略平行となる傾斜面６ｄを形成してあり、この傾斜面６ｄに上記カメラ部１０の窓９を配置するとともに、窓９の後方にカメラ部１０を内蔵するようにしてある。なお、１４は傾斜面６ｄに配置された反射ミラーである。
【００２１】
その為、上記第一の筐体２と第二の筐体６を開いた状態でカメラモードに切り替え、図２に示すように窓９を被写体５０に向けると、窓９と表示部３とは略平行に配置してあることから表示部３の表示面３ａを目線に対して略垂直に配置することができるため、窓９よりカメラ部１０に取り込まれて表示部３に映し出される映像を容易に確認することができるとともに、撮影時には目的とする被写体５０を正確にとらえて撮影することができる。
【００２２】
また、窓９は第二の筐体６の後面６ｂと第一の筐体２近傍（ヒンジ部５近傍）の端面６ｃとで形成されるコーナー部を切り欠いて形成した傾斜面６ｄに形成してあることから携帯情報端末装置１を大型化しなくて済む。
【００２３】
さらに、カメラ部１０を第二の筐体６に備えることから、第一の筐体２に大型の表示部３を配置することができ、視認性を高めることができるとともに、マルチメディア化に対応した多くの情報を取り込むことができ、また撮影時にはより大きな映像を撮影することができる。
【００２４】
また、傾斜面６ｄに反射ミラー１４を設けることで、使用者自身を撮影したい場合、反射ミラー１４に使用者自身を映して位置確認を行うことで、容易に撮影することもできる。
【００２５】
次に、本発明の携帯情報端末装置１の他の例を図３を基に説明する。
【００２６】
この例は第二の筐体６の操作部７を有する前面６ａ及び第一の筐体２と反対側（ヒンジ部５と反対側）の端面６ｅとのコーナー部に、上記第一の筐体２と第二の筐体６を開いた時に上記表示部３の表示面３ａと略平行となる傾斜面６ｆを形成し、この傾斜面６ｆにカメラ部１０の窓９を設けるとともに、窓９の後方にカメラ部１０を内蔵させる以外は図２に示す携帯情報端末装置１と同様の構造をしたものである。
【００２７】
この構造によれば、カメラ部１０の窓９を表示部３側に向けることができるとともに、表示部３の表示面３ａと略平行に配置することができるため、第一の筐体２と第二の筐体６を開いた状態でカメラモードに切り替え、窓９を被写体５１（図３では使用者自身）に向けると、窓９と表示部３の表示面３ａとは略平行に配置してあることから表示部３の表示面３ａを使用者の目線に対しても略垂直に配置することができ、窓９よりカメラ部１０に取り込まれて表示部３に映し出される映像を容易に確認することができるとともに、撮影時には目的とする被写体５１を正確にとらえて撮影することができる。
【００２８】
また、窓９は第二の筐体６の前面６ａと第一の筐体２と反対側（ヒンジ部５と反対側）の端面６ｅとで形成されるコーナー部を切り欠いて形成した傾斜面６ｆに形成してあることから携帯情報端末装置１を大型化しなくて済む。
【００２９】
さらに、カメラ部１０を第二の筐体６に備えることから、第一の筐体２に大型の表示部３を配置することができ、視認性を高めることができるとともに、マルチメディア化に対応した多くの情報を取り込むことができ、また撮影時にはより大きな映像を撮影することができる。
【００３０】
また、図２及び図３に示す携帯情報端末装置はそれぞれアンテナ１２と無線部を有することから、カメラ部１０より取り込んだ情報を無線部及びアンテナ１２を介して第三者へ転送することもできる。
【００３１】
以上、本発明の実施形態について示したが、本発明は上述した実施形態だけに限定されるものではなく、例えば、本実施形態ではカメラ部１０を窓９の後方直後に配置した例を示したが、窓９より取り込まれた映像を反射面で反射させてカメラ部１０に導くようにしたものであっても良く、少なくともカメラ部１０へ映像を取り込む窓９が別の筐体２に設けられた表示部３の表示面と略平行に配置されていれば良い。
【００３２】
また、本実施形態では、第一の筐体２と第二の筐体６とをヒンジ部５を介して互いの前面２ａ，６ａの角度を可変し得るように開閉可能に構成した携帯情報端末装置１を例にとって説明したが、第一の筐体を第二の筐体の操作部を有する前面に対して略水平に回動させることで開閉可能に構成した携帯情報端末装置にも適用することができる。
【００３３】
さらに、本実施形態では携帯電話機を例にとって説明したが、これに限らず近年普及しつつあるＰＤＡ（Ｐｅｒｓｏｎａｌ　Ｄｉｇｉｔａｌ　Ａｓｓｉｓｔａｎｔｓ）にも用いることができ、少なくとも表示部を有する第一の筐体と、少なくとも操作部及びカメラ部を有する第二の筐体を備え、開いた時には第一の筐体が第二の筐体に対して傾斜して配置される構造を有する携帯情報端末装置に適用することができる。
【００３４】
このように本発明の要旨を逸脱しない範囲であれば改良や変更したものにも適用できることは言う迄もない。
【００３５】
【発明の効果】
以上のように、本発明によれば、少なくとも表示部を有する第一の筐体と、少なくとも操作部及びカメラ部を有する第二の筐体とを開閉可能に連結した携帯情報端末装置において、上記第一の筐体と上記第二の筐体を開いた時、上記第一の筐体を上記第二の筐体に対して傾斜して配置するとともに、上記第二の筐体に上記表示部の表示面と略平行な面を設け、上記表示部の表示面と略平行な面に上記カメラ部の窓を配置するようにしたことによって、カメラモード時にはカメラ部の窓より取り込まれる被写体を表示部で容易に確認し、被写体を正確にとらえて撮影することができる。
【００３６】
また、携帯情報端末装置を大きくすることなく大型の表示部を設けることができるため、視認性を高めることができるとともに、携帯性を損なうことなく多くの情報を表示部に表示することができ、さらにカメラモード時にはより大きな映像を撮影することができる。
【００３７】
特に、表示部を、上記第一の筐体と上記第二の筐体が開いた時、操作部と同じ側の第一の筐体表面に設けるとともに、上記表示部の表示面と略平行な面を、上記第二の筐体の操作部を有する面と反対側の面及び上記第一の筐体近傍の端面とのコーナー部を切り欠いて形成する傾斜面、あるいは上記第二の筐体の操作部を有する面及び上記第一の筐体と反対側の端面とのコーナー部を切り欠いて形成する傾斜面とすることで、大きな部品であるカメラ部を第二の筐体内の端部に配置することができるため、他の部品を配置するための設計の自由度を大きくすることができ、好適である。
【図面の簡単な説明】
【図１】本発明の携帯情報端末装置の一例である携帯電話機を示す図で、（ａ）は正面図、（ｂ）は裏面図である。
【図２】図１（ａ）のＸ−Ｘ線断面図である。
【図３】本発明の携帯情報端末装置の他の例を示す断面図である。
【図４】従来の携帯情報端末装置の一例である携帯電話機を示す断面図である。
【図５】従来の携帯情報端末装置の一例である他の携帯電話機を示す断面図である。
【符号の説明】
１：携帯情報端末装置　２：第一の筐体　２ａ：前面　３：表示部　４：受話部
５：ヒンジ部　６：第二の筐体　６ａ：前面　６ｂ：後面　６ｃ：端面
６ｄ：傾斜面　６ｅ：端面　６ｆ：傾斜面　７：操作部　８：送話部　９：窓
１０：カメラ部　１１：電池　１２：アンテナ　１３：回路基板
１４：反射ミラー
【図１】
2004032351.tif 000003
【図２】
2004032351.tif 000004
【図３】
2004032351.tif 000005
【図４】
2004032351.tif 000006
【図５】
2004032351.tif 000007